(57)【要約】      （修正有）【課題】吊り天井における天井材が落下してしまうことを抑止する落下防止具であって、天井材と天井材落下防止具の緊結部分に、地震時等によって受ける衝撃を直接伝えないことによって、その部分の天井材の破損を防止することが可能な天井材落下防止具の提供。【解決手段】天井材２を天井から吊るすための天井下地材である野縁受け３２に対して取り付けられる連結部材１２と、天井材２及び野縁３３Ｗに形成された貫通孔に挿通される軸部１１３と、軸部の下端側で鍔状に形成され、天井材を下側から支える下側落下防止部材１１１と、軸部に螺着され、下側落下防止部材との間で天井材及び野縁を挟み込む上側押え部材１１２と、軸部の上端側に螺着されるアイナット１１４と、アイナットと、連結部材１２とを接続するカラビナ１３と、を備えることにより、野縁受け３２に対して天井材２及び野縁３３Ｗを、遊びを持たせて連結する。【選択図】図４
0003203568.tif 000002
【実用新案登録請求の範囲】
【請求項１】
天井材を天井から吊るすための天井下地材である野縁受けに対して取り付けられる連結部材と、
天井材に取り付けられる天井材保持部材と、を備え、
前記連結部材と前記天井材保持部材とが接続されていることにより、前記野縁受けに対して前記天井材が遊びを持たせて連結されたことを特徴とする天井材落下防止具。
【請求項２】
前記天井材保持部材が、天井材を下側から支える下側落下防止部材と、
当該下側落下防止部材との間で天井材を挟み込む上側押え部材と、を備えることを特徴とする請求項１に記載の天井材落下防止具。
【請求項３】
前記下側落下防止部材と上側押え部材が、天井材及び野縁を挟み込むものであることを特徴とする請求項２に記載の天井材落下防止具。
【請求項４】
前記連結部材が鋼線によって形成されたことを特徴とする請求項１乃至請求項３の何れかに記載の天井材落下防止具。
【請求項５】
前記連結部材と、前記天井材保持部材が、接続部材を介して接続されていることを特徴とする請求項１乃至請求項４の何れかに記載の天井材落下防止具。
【請求項６】
天井材を天井から吊るすための天井下地材である野縁受けに対して取り付けられる連結部材と、
天井材及び野縁に形成された貫通孔に挿通される軸部と、
当該軸部の下端側で鍔状に形成され、天井材を下側から支える下側落下防止部材と、
前記軸部に螺着され、前記下側落下防止部材との間で天井材及び野縁を挟み込む上側押え部材と、
前記軸部の上端側に螺着されるアイナットと、
前記アイナットと、前記連結部材とを接続するカラビナと、
を備えることにより、前記野縁受けに対して前記天井材及び野縁が遊びを持たせて連結されていることを特徴とする天井材落下防止具。
【請求項７】
前記連結部材が、両端がアイ加工された鋼線であり、当該鋼線が野縁受けを通された上で両端のアイが前記カラビナに取り付けられていることを特徴とする請求項６に記載の天井材落下防止具。
【請求項８】
前記上側押え部材が、板状の部材であって、外周からの切り込みによって形成された舌片部を引き起こすことによって構成されたつまみ部を有することを特徴とする請求項１乃至請求項７の何れかに記載の天井材落下防止具。
【請求項９】
天井材及び野縁に形成された貫通孔に挿通される軸部と、
当該軸部の下端側で鍔状に形成され、天井材を下側から支える下側落下防止部材と、
前記軸部に螺着され、前記下側落下防止部材との間で天井材及び野縁を挟み込む板状の部材であって、外周からの切り込みによって形成された舌片部を引き起こすことによって構成されたつまみ部を有する上側押え部材と、
を備える天井材保持部材。
【考案の詳細な説明】
【技術分野】
【０００１】
本考案は、吊り天井における天井材が落下してしまうことを抑止する天井材落下防止具及び天井材保持部材に関する。
【背景技術】
【０００２】
例えばＲＣ構造の建築物等においては、天井パネル等の天井材を躯体（天井スラブ）から吊り下げる工法が広く用いられている。
当該在来工法は、躯体（天井スラブ）に埋め込まれて吊り下がっている吊ボルトに対して、野縁受けが取り付けられ、この野縁受けに対してクリップ等の部材により野縁が取り付けられる。そして、天井パネルなどの天井材が、野縁に対してネジ留め等によって取り付けられることで、吊り天井が構成される。
在来工法の吊り天井では、野縁を野縁受けに対して取り付けるクリップが、引っかけて止めるだけのような比較的簡易な構成である場合が多い。従って、地震等の揺れに基づく破損が生じ易く、クリップの破損により、野縁とこれに取り付けられている天井材が落下する場合があった。
このような問題に対して、天井材の落下を防止する天井落下防止具に関する従来技術が特許文献１によって開示されている。
【先行技術文献】
【特許文献】
【０００３】
【特許文献１】特開２０１４−１８５５０７
【考案の概要】
【考案が解決しようとする課題】
【０００４】
上記特許文献１によって開示される技術は、同文献の図２等に示されるように、天井仕上材３及び横杆部材３２に形成した貫通部１４及び貫通部３３に、網部１２や枠部１３が下端側に取り付けられた雄螺子部２３を挿通して、各ナット３０、３１、６０Ａで天井仕上材３及び横杆部材３２に対して固定するものである。これにより、網部１２によって天井仕上材３を下方から保持して落下を防止できるものである。
しかしながら、例えば地震などにより躯体に大きな揺れが生じた場合、吊り天井は揺れながら躯体にぶつかってしまうものである。従って、固定的に部材を保持するものである場合、衝突による衝撃を吸収することができず、一番弱い部分に力が集中して部品が破壊し、天井材が落下する場合があった。
【０００５】
本考案は、上記の点に鑑み、吊り天井における天井材が落下してしまうことを抑止する落下防止具を提供することを目的とする。
【課題を解決するための手段】
【０００６】
（構成１）
天井材を天井から吊るすための天井下地材である野縁受けに対して取り付けられる連結部材と、天井材に取り付けられる天井材保持部材と、を備え、前記連結部材と前記天井材保持部材とが接続されていることにより、前記野縁受けに対して前記天井材が遊びを持たせて連結されたことを特徴とする天井材落下防止具。
【０００７】
（構成２）
前記天井材保持部材が、天井材を下側から支える下側落下防止部材と、当該下側落下防止部材との間で天井材を挟み込む上側押え部材と、を備えることを特徴とする構成１に記載の天井材落下防止具。
【０００８】
（構成３）
前記下側落下防止部材と上側押え部材が、天井材及び野縁を挟み込むものであることを特徴とする構成２に記載の天井材落下防止具。
【０００９】
（構成４）
前記連結部材が鋼線によって形成されたことを特徴とする構成１乃至構成３の何れかに記載の天井材落下防止具。
【００１０】
（構成５）
前記連結部材と、前記天井材保持部材が、接続部材を介して接続されていることを特徴とする構成１乃至構成４の何れかに記載の天井材落下防止具。
【００１１】
（構成６）
天井材を天井から吊るすための天井下地材である野縁受けに対して取り付けられる連結部材と、天井材及び野縁に形成された貫通孔に挿通される軸部と、当該軸部の下端側で鍔状に形成され、天井材を下側から支える下側落下防止部材と、前記軸部に螺着され、前記下側落下防止部材との間で天井材及び野縁を挟み込む上側押え部材と、前記軸部の上端側に螺着されるアイナットと、前記アイナットと、前記連結部材とを接続するカラビナと、を備えることにより、前記野縁受けに対して前記天井材及び野縁が遊びを持たせて連結されていることを特徴とする天井材落下防止具。
【００１２】
（構成７）
前記連結部材が、両端がアイ加工された鋼線であり、当該鋼線が野縁受けを通された上で両端のアイが前記カラビナに取り付けられていることを特徴とする構成６に記載の天井材落下防止具。
【００１３】
（構成８）
前記上側押え部材が、板状の部材であって、外周からの切り込みによって形成された舌片部を引き起こすことによって構成されたつまみ部を有することを特徴とする構成１乃至構成７の何れかに記載の天井材落下防止具。
【００１４】
（構成９）
天井材及び野縁に形成された貫通孔に挿通される軸部と、当該軸部の下端側で鍔状に形成され、天井材を下側から支える下側落下防止部材と、前記軸部に螺着され、前記下側落下防止部材との間で天井材及び野縁を挟み込む板状の部材であって、外周からの切り込みによって形成された舌片部を引き起こすことによって構成されたつまみ部を有する上側押え部材と、を備える天井材保持部材。
【考案の効果】
【００１５】
本考案の天井材保持部材によれば、野縁受けに対して天井材が遊びを持たせて連結されるため、当該遊びがあることにより、天井材と天井材落下防止具の緊結部分に、地震時等によって受ける衝撃を直接的に伝えないようにすることができ、これにより、天井材が落下してしまうことを防止することが可能となる。
【図面の簡単な説明】
【００１６】
【図１】実施形態の天井材落下防止具を示す図であり、（ａ）：斜視図、（ｂ）：分解斜視図
【図２】実施形態の天井材落下防止具が備える上側押え部材を示す図であり、（ａ）：上面図、（ｂ）：側面図
【図３】実施形態の天井材落下防止具の施工手順を示す説明図
【図４】実施形態の天井材落下防止具が取り付けられた状態を示す図
【図５】実施形態の天井材落下防止具の使用状態を示す図であり、（ａ）：通常時の状態を示す図、（ｂ）：地震等により、野縁受けから野縁が外れた状態を示す図
【考案を実施するための形態】
【００１７】
以下、本考案の実施態様について、図面を参照しながら具体的に説明する。なお、以下の実施態様は、本考案を具体化する際の一形態であって、本考案をその範囲内に限定するものではない。
【００１８】
図１は、本実施形態の天井材落下防止具１を示す図であり、（ａ）は斜視図、（ｂ）は分解斜視図である。
【００１９】
図１に示されるように、本実施形態の天井材落下防止具１は、天井材保持部材１１と、連結部材１２と、天井材保持部材１１と連結部材１２を接続する接続部材であるカラビナ１３と、を有する。
天井材保持部材１１は、軸部（ボルト）１１３と、当該軸部１１３の下端に螺着されて鍔状の支持部を形成する下側落下防止部材１１１と、軸部１１３の上端側からねじ込まれる上側押え部材１１２と、軸部１１３の上端に螺着されるアイナット１１４とを有する。
連結部材１２は、その両端がアイ加工された鋼線によって形成される。
なお、本実施形態では、下側落下防止部材１１１について、軸部１１３の下端に螺着されるもの、即ち、ナットを備える鍔状の支持部（円盤状の部材）によって構成するものを例としているが、鍔状の支持部を軸部１１３に対して溶接等によって固着するものであってもよい。
【００２０】
図２は、上側押え部材１１２を示す図であり、（ａ）は上面図、（ｂ）は側面図である。同図に示されるように、本実施形態の天井材落下防止具１の上側押え部材１１２は、中心部に軸部１１３に対して螺着されるナット部１１２１を有する略円盤状（板状）の部材であって、外周からの切り込み１１２３によって形成される舌片部を引き起こすことによって形成されたつまみ部１１２２を２つ備えている。
【００２１】
図３は、本実施形態の天井材落下防止具１の取り付け手順を示す説明図である。
天井材落下防止具１は、吊り天井において、天井パネルなどの天井材が落下することを抑止するものである。在来工法における吊り天井は、一般的に、躯体（天井スラブ）に埋め込まれて吊り下がっている吊ボルト３１に螺着されるハンガー３５によって野縁受け３２が保持され、この野縁受け３２に対してクリップ３４（クリップ３４ｓ及びクリップ３４ｗ）により野縁３３（野縁３３ｓ及び野縁３３ｗ）が取り付けられる。野縁３３は野縁受け３２に対して直交する向きで取り付けられ、これにより格子状の天井下地材が形成される。ここではＭバーによって野縁３３が構成されるものを示しており、図３では、シングルバーの野縁３３ｓとダブルバーの野縁３３ｗ及び、それぞれに対応するクリップ３４ｓとクリップ３４ｗを示している。そして、天井パネルなどの天井材２が、野縁３３に対してネジ留め等によって取り付けられることで吊り天井が構成される。
【００２２】
図３（ａ）に示されるように、先ず、野縁３３の、野縁受け３２の近傍となる部分に、貫通孔Ｈを形成する。貫通孔Ｈは、野縁３３と天井材２を貫通させて形成する。
次に、図３（ｂ）に示されるように、貫通孔Ｈに対して天井材２の下側から（即ち室内側から）下側落下防止部材１１１が螺着された軸部１１３を挿通する。
次に、図３（ｃ）に示されるように、天井材２及び野縁３３を貫通させて突出している軸部１１３に対して、上側押え部材１１２をねじ込み、且つ軸部１１３の上端にアイナット１１４を螺着する。本実施形態においては、上側押え部材１１２の外径が、ダブルバーの野縁３３ｗの上側開口部分より小さく、シングルバーの野縁３３ｓの上側開口部分より大きく形成されている。従って、図３（ｄ）に示されるように、ダブルバーの野縁３３ｗに対しては、ダブルバーの内部に上側押え部材１１２が入りこんで、天井材２及び野縁３３ｗを、下側落下防止部材１１１と上側押え部材１１２とで挟み込む構成となり、シングルバーの野縁３３ｓに対しては、シングルバーの上部で係止される上側押え部材１１２と、下側落下防止部材１１１とによって、天井材２及び野縁３３ｓを挟み込む構成となる。なお、本実施形態においては、上側押え部材１１２につまみ部１１２２が形成されているため、上側押え部材１１２のねじ込みの作業性に優れ、確実に螺着させることができる。
【００２３】
次に、図３（ｅ）に示されるように、連結部材１２を野縁受け３２に通した上で、連結部材１２の両端のアイをカラビナ１３に取り付け、カラビナ１３をアイナット１１４に取り付けることにより、天井材落下防止具１の取り付けが完了する。
なお、最終的に図３（ｅ）に示される取り付け状態になるものであれば、上記各工程の順番は適宜前後させても構わない。
【００２４】
図４は、天井材落下防止具１が取り付けられた部分を示す拡大図であり、（ａ）はダブルバーの野縁３３ｗに対する取り付け状態、（ｂ）はシングルバーの野縁３３ｓに対する取り付け状態をそれぞれ示す図である。
同図に示されるように、天井材２を下側から支える下側落下防止部材１１１と、上側押え部材１１３とを有する天井材保持部材１１によって、天井材２及び野縁３３が挟み込まれて保持される。
且つ、天井材２及び野縁３３を保持する天井材保持部材１１が、野縁受け３２に対して遊びをもって通される連結部材１２と接続されるため、野縁受け３２に対して天井材２及び野縁３３が遊びを持たせて連結されることとなる。
【００２５】
図５は、本実施形態の天井材落下防止具１の使用状態を示す図であり、（ａ）は通常時の状態を示す図、（ｂ）は地震等により、野縁受け３２から野縁３３が外れた状態を示す図である。
在来工法の吊り天井では、野縁３３を野縁受け３２に対して取り付けているクリップ３４が、引っかけて止めるだけのような比較的簡易な構成である場合が多い。従って、地震等の揺れに基づく破損が生じ易い。即ち、地震等の揺れに伴って、吊り天井が躯体に衝突すること等により野縁受け３２に撓みが生じるが、この野縁受け３２の撓みにより、野縁受け３２と野縁３３の間隔が変動し、これによってクリップ３４が破損するものである。クリップ３４の破損により、野縁３３とこれに取り付けられている天井材２が落下する場合があったが、本実施形態の天井材落下防止具１を使用することにより、図５（ｂ）に示されるように、野縁３３と天井材２の落下が防止されるものである。
また、本実施形態の天井材落下防止具１は、野縁受け３２に対して天井材２及び野縁３３が遊びを持たせて連結されるものであるため、当該遊びがあることにより、天井材２（及び野縁３）と天井材落下防止具１の緊結部分に、地震時等に受ける衝撃を直接伝えないようにすることができ、これにより、天井材２が落下してしまうことを防止することが可能である。前述のごとく、野縁受け３２に撓みが生じた際においても、この撓みの影響を遊びによって無効化することができ、図５（ｂ）に示されるように、クリップ３４の破損後においても天井材２の落下を防止でき、非常に有用である。
即ち、野縁受け３２に対して天井材２や野縁３３を固定的に取り付けるものである場合、地震時等の揺れにより、吊り天井が揺れて躯体と衝突する衝撃を緩和することができないため、結局、一番弱い部分に力が集中して部品の破壊、落下が起こるおそれがあるが、本実施形態の天井材落下防止具１によれば、“遊び”があることにより、衝撃を緩和することが可能であり、天井材等の落下を抑止することができるものである（“遊び”の分だけ天井材等が下がることになるが、床までの落下は防止され、人に危害が加わることがより効果的に抑止されるものである）。
図５（ｂ）からも理解されるように、クリップ３４の破損（フック形状が延びてしまうことにより野縁受け３２に野縁３３を引っかけておくことができなくなる）により、天井材２が落下（床までの落下ではなく、天井材落下防止具１によって支えられるまでの落下）した後は、天井材（及び野縁）と天井材落下防止具の緊結部分に衝撃が直接伝わることは無いと言える。従って、天井材落下防止具１の“遊び”は、クリップ３４の破損（フック形状が延びた状態）を妨げない長さ以上あればよい。
【００２６】
本実施形態の天井材落下防止具１は、新設、既設を問わず利用可能なものであると共に、カラビナや鋼線、アイナットといった汎用的な部品を使用しているため、費用対効果の面でも優れる。
【００２７】
なお、天井材落下防止具１は、通常、複数設置されるものであり、それぞれの天井材落下防止具１において、上述の“遊び”が略同一となるようにすることが好ましい。即ち、上述の“遊び”が略同一であることにより、図５（ｂ）に示されるように、落下後の天井面を略水平状態で保持することができ、荷重の均等化等の観点から好ましいものである。
なお、“遊び”の長さは、必ずしも連結部材１２の長さ等の天井材落下防止具１の構成のみによって定まるものではなく、貫通孔Ｈの位置等によっても変化し得るものであるため、本考案に係る天井材落下防止具を施工する現場の状況等に応じて、各要素が適宜調整され得るものである。
【００２８】
本実施形態においては、野縁３３と天井材２を貫通させて貫通孔Ｈを形成し、野縁３３及び天井材２を、上側押え部材１１３と下側落下防止部材１１１で挟み込み、保持するものを例としているが、野縁３３が無い天井材２の部分において貫通孔Ｈを形成し、天井材２のみを上側押え部材１１２と下側落下防止部材１１１で挟み込み、保持するものとしてもよい。
【００２９】
本実施形態においては、連結部材が鋼線で形成されるものを示したが、野縁受け３２に対して天井材２を遊びを持たせて連結することができるものであれば、鋼材若しくはその他の材料によって形成されるものであってもよい。ただし、所定の強度を有しつつ、なるべく軽量にするためには鋼線が有利であり、汎用品を利用できる点でコスト的にも有利である。
【符号の説明】
【００３０】
１．．．天井材落下防止具
２．．．天井材
１１．．．天井材保持部材
１１１．．．下側落下防止部材
１１２．．．上側押え部材
１１２２．．．つまみ部
１１２３．．．切り込み
１１３．．．軸部
１１４．．．アイナット
１２．．．連結部材
１３．．．カラビナ（接続部材）
３１．．．吊りボルト
３２．．．野縁受け
３３．．．野縁
３４．．．クリップ
３５．．．ハンガー
Ｈ．．．貫通孔
【図１】
0003203568.tif 000003
【図２】
0003203568.tif 000004
【図３】
0003203568.tif 000005
【図４】
0003203568.tif 000006
【図５】
0003203568.tif 000007